(57)【要約】【課題】電気機器の相関を活用し、時間やセンサ情報に依存せずに簡単に節電効果を高めることができる節電監視装置を提供する。【解決手段】複数の電気機器の電源ＯＮ／ＯＦＦ状態または特定動作状態の情報を所定の通信手段を介して入力し、複数の電気機器の当該情報に基づいて同時動作する確率の高い電気機器の相関を計算する相関計算部と、相関計算部で一定期間に渡って学習した複数の電気機器の相関を保持する相関テーブルと、複数の電気機器の動作状態を逐次入力し、相関テーブルを参照して相関を逸脱する電気機器を検知した場合に、その旨の警報を外部に通知する制御部とを備える。【選択図】  図１
2013196608.tif 000002
【特許請求の範囲】
【請求項１】
複数の電気機器の電源ＯＮ／ＯＦＦ状態または特定動作状態の情報を所定の通信手段を介して入力し、複数の電気機器の当該情報に基づいて同時動作する確率の高い電気機器の相関を計算する相関計算部と、
前記相関計算部で一定期間に渡って学習した複数の電気機器の相関を保持する相関テーブルと、
前記複数の電気機器の動作状態を逐次入力し、前記相関テーブルを参照して前記相関を逸脱する電気機器を検知した場合に、その旨の警報を外部に通知する制御部と
を備えたことを特徴とする節電監視装置。
【請求項２】
請求項１に記載の節電監視装置において、
前記制御部は、前記警報を通知した後に前記相関を逸脱した電気機器の動作状態に変化がないことを検知した場合に、前記相関計算部を介して前記相関テーブルを更新する
ことを特徴とする節電監視装置。
【請求項３】
請求項１に記載の節電監視装置において、
前記制御部は、前記相関のある複数の電気機器の中の電気機器が単独で動作する特定動作状態であれば、前記相関の逸脱を検知しても前記警報を通知しない
ことを特徴とする節電監視装置。
【発明の詳細な説明】
【技術分野】
【０００１】
本発明は、電気機器の節電を促すための節電監視装置に関する。
【背景技術】
【０００２】
従来の電気機器の節電機能には、一定時間操作がなければ省電力モードに移行して消費電力を低減するものがある。さらに、省電力モードへ移行するまでの時間を短縮して節電効果を高める目的で、機器使用率を時間帯ごとに学習し、各時間帯ごとの機器使用率に応じて省電力モードへの移行の可否を判断する機能もある。例えば、当該時間帯における機器使用率が基準値以下であれば、一定時間待つことなく直ちに省電力モードへ移行し、基準値以上であれば省電力モードへ移行しないという機能である。
【０００３】
また、人感センサを用い、電気機器の前に人がいなくなったことを検知すると自動的に省電力モードに移行する機能も一般的になっている（非特許文献１）。例えば、テレビに取り付けた人感センサで特定範囲内の人の動きを感知し、通常の視聴状態、映像だけオフの状態、スタンバイ状態に段階的に切り替えてこまめに節電し、さらに消し忘れを防止する機能である。
【先行技術文献】
【非特許文献】
【０００４】
【非特許文献１】http://www.sony.jp/CorporateCruise/Press/201001/10-0120/
【発明の概要】
【発明が解決しようとする課題】
【０００５】
個々の電気機器ごとに時間に基づいて省電力モードへの移行を制御する従来の節電機能は、例えば機器の稼働時間や時間帯がある程度決まっているようなオフィスや工場などでは有効である。しかし、一般家庭の家電機器のようにそれぞれの生活パターンに応じていろいろな使われ方がされる環境であったり、生活パターンが変化するような環境では、時間に基づいて一律に省電力モードへの移行を制御する形態は必ずしも有効に機能しない場合がある。
【０００６】
また、人感センサなどのセンサ情報に基づいて省電力モードへの移行を制御する節電機能は、部屋の照明やテレビやエアコンのように人が操作したり、人の行動に応じた制御が可能な電気機器には有効である。しかし、人の行動にリンクしない電気機器には適用できない。また、制御ために各電気機器にセンサを搭載する必要があり、コストがかかる問題があった。
【０００７】
一方、電気機器には互いに高い相関で動作するものもある。例えば、パソコン本体とモニタとプリンタは、その組み合わせでＯＮ／ＯＦＦする相関が高い。同様に、部屋の照明とテレビとエアコンの相関も高い。このような相関が高い複数の電気機器が電源ＯＦＦになったときに、１つの電気機器が電源ＯＮのままであれば消し忘れの可能性がある。このような場合に消し忘れの通知機能があれば節電効果を高めることができる。
【０００８】
本発明は、電気機器の相関を活用し、時間やセンサ情報に依存せずに簡単に節電効果を高めることができる節電監視装置を提供することを目的とする。
【課題を解決するための手段】
【０００９】
本発明の節電監視装置は、複数の電気機器の電源ＯＮ／ＯＦＦ状態または特定動作状態の情報を所定の通信手段を介して入力し、複数の電気機器の当該情報に基づいて同時動作する確率の高い電気機器の相関を計算する相関計算部と、相関計算部で一定期間に渡って学習した複数の電気機器の相関を保持する相関テーブルと、複数の電気機器の動作状態を逐次入力し、相関テーブルを参照して相関を逸脱する電気機器を検知した場合に、その旨の警報を外部に通知する制御部とを備える。
【００１０】
本発明の節電監視装置の制御部は、警報を通知した後に相関を逸脱した電気機器の動作状態に変化がないことを検知した場合に、相関計算部を介して相関テーブルを更新する。
【００１１】
本発明の節電監視装置の制御部は、相関のある複数の電気機器の中の電気機器が単独で動作する特定動作状態であれば、相関の逸脱を検知しても警報を通知しない。
【発明の効果】
【００１２】
本発明の節電監視装置は、複数の電気機器の電源ＯＮ／ＯＦＦ状態または特定動作状態の相関に基づき、相関を逸脱する電気機器を検知した場合に警報を外部に通知することにより、例えば消し忘れ等による無駄な電力消費を回避すべき処置を促すことができる。
【図面の簡単な説明】
【００１３】
【図１】本発明の節電監視装置の構成例を示す図である。
【図２】本発明の節電監視装置の制御例を示すタイムチャートである。
【発明を実施するための形態】
【００１４】
図１は、本発明の節電監視装置の構成例を示す。
図１において、複数の電気機器１１〜１５は、所定の通信手段を介して節電監視装置２０に接続される。通信手段としては、電力線の利用した電灯線通信（ＰＬＣ）や、有線ＬＡＮまたは無線ＬＡＮを利用したＩＰ通信を用いることができる。
【００１５】
各電気機器１１〜１５は、電源ＯＮ／ＯＦＦ状態または特定動作状態等の動作情報を節電監視装置２０に通知する。また、各電気機器１１〜１５の電源ラインに挿入され、消費電力等を監視するアダプタから各電気機器の動作情報を節電監視装置２０に通知する形態であってもよい。
【００１６】
節電監視装置２０は、制御部２１、相関計算部２２および相関テーブル２３により構成される。制御部２１は、各電気機器１１〜１５の動作情報を収集して相関計算部２２に出力する。相関計算部２２は、同時間帯にＯＮ／ＯＦＦする電気機器や、同時間帯に特定動作状態になる確率の高い電気機器同士の相関を計算し、相関テーブル２３に保持する。また、制御部２１は、各電気機器１１〜１５の動作情報に応じて相関テーブル２３を参照し、相関逸脱を検知したときにその旨を警報としてユーザに通知する。
【００１７】
図２は、本発明の節電監視装置の制御例を示す。ここでは、電気機器１１，１２，１３のＯＮ／ＯＦＦ状態を時間軸上に示す。
【００１８】
図２(1) に示す例は、電気機器１１と電気機器１２のＯＮ／ＯＦＦ相関は低いが、電気機器１３は電気機器１１，１２とのＯＮ／ＯＦＦ相関が高く、かつ電気機器１３は電気機器１１と電気機器１２が同時に使用されている間のみに動作する可能性が高いことを示す。相関計算部２２は各電気機器の相関を計算し、さらに一定期間に渡って学習した結果を相関テーブル２３に保持する。
【００１９】
その後、図２(2) に示すように、電気機器１１，１２がＯＦＦになったにもかかわらず電気機器１３のＯＮが継続している場合に、節電監視装置２０は電気機器１３が電気機器１１，１２に対して相関逸脱していること、すなわち「消し忘れ」を検知し、ユーザに警報を通知する。ここで、ユーザが電気機器１３の消し忘れに気づけば、電気機器１３をＯＦＦにすることにより節電が可能になる。
【００２０】
一方、図２(3) に示すように、節電監視装置２０からの警報に対してユーザが応答せず、電気機器１３がＯＮのまま継続する場合は、電気機器１３が消し忘れではなく使用形態が変わったものとして警報を解除し、相関テーブル２３に保持されている電気機器１１，１２，１３の相関を更新する。
【００２１】
また、例えばテレビとビデオデッキ、あるいはパソコン本体とモニタとプリンタは、電源ＯＮ／ＯＦＦの相関が高く、通常は同時間帯にＯＮ／ＯＦＦする確率が高いが、ビデオデッキのようにタイマ録画予約時間に単独でＯＮ状態になる電気機器もある。このように、相関が高い複数の電気機器の中に単独で動作する可能性のある電気機器が含まれる場合には、節電監視装置２０において各電気機器の動作状態もモニタし、例えばビデオデッキのようにタイマ録画予約時間にＯＮになっている場合には、相関が高いテレビがＯＦＦでも警報を発しないように制御することも有効である。一方、プリンタのように単独でＯＮになる可能性が低い電気機器の場合は、相関が高いパソコン本体がＯＦＦでプリンタがＯＮであれば、警報を発することが節電に有効である。
【００２２】
このように、各電気機器の電源ＯＮ／ＯＦＦ情報に限らず、各電気機器の動作状態と合せて相関計算を行うことにより、より極めの細かい節電監視が可能になる。さらに、各電気機器で動作状態とともに、各電気機器間の通信状態をモニタする構成でもよい。
【符号の説明】
【００２３】
１１，１２，１３，１４，１５  電気機器
２０  節電監視装置
２１  制御部
２２  相関計算部
２３  相関テーブル
【図１】
2013196608.tif 000003
【図２】
2013196608.tif 000004